(57)【特許請求の範囲】
【請求項１】
地下構造物の入口に設置される雨水浸入防止装置において、
地下構造物入口の床面に固定される床面固定エッジと、この床面固定エッジに対向する吊上エッジと、地下構造物の左右縦壁に固定される左右の縦壁固定エッジとを有する折り畳み可能なシート状浸水防止バッグ；
上記シート状浸水防止バッグの床面固定エッジと左右の縦壁固定エッジを、上記入口の床面と左右縦壁に固定した状態で、残部を折り畳んで床面及び左右縦壁に沿わせて収納した状態とする収納手段；及び
雨水浸入防止時に、上記シート状浸水防止バッグの吊上エッジを天井方向に吊り上げるための吊上手段；
を有することを特徴とする雨水浸入防止装置。
【請求項２】
請求項１記載の雨水浸入防止装置において、上記シート状浸水防止バッグは、上下に上記床面固定エッジ及び吊上エッジを有し、左右に左右エッジを有する展開状態で矩形の中央矩形シート材と、この中央矩形シート材の左右に位置する展開状態で四角形をなす左右シート材とからなり、この左右シート材の隣接する２辺が中央矩形シートの上記左右エッジに結合される結合辺であり、残りの２辺のうちの１辺が上記縦壁固定エッジを構成し、他の１辺が他の部材に結合されない遊び辺からなっている雨水浸入防止装置。
【請求項３】
請求項２記載の雨水浸入防止装置において、上記左右シート材の縦壁固定エッジの長さを１としたとき、上記一対の結合辺の長さ及び中央矩形シート材の左右エッジの長さの１／２は０．５を超える長さである雨水浸入防止装置。
【請求項４】
請求項２または３記載の雨水浸入防止装置において、上記左右シート材は、その一対の結合辺の長さが等長で、該一対の結合辺の一方の結合辺と縦壁固定エッジのなす角、及び他方の結合辺と上記遊び辺のなす角がそれぞれ９０゜をなしている雨水浸入防止装置。
【請求項５】
請求項４記載の雨水浸入防止装置において、上記中央矩形シート材と左右シート材からなるシート状浸水防止バッグは、上記収納状態において、上記床面固定エッジと吊上エッジ、一対の結合片どうし、及び縦壁固定エッジと遊び片をそれぞれ重ねた状態で折り畳まれている雨水浸入防止装置。
【請求項６】
地下構造物の入口への雨水の浸入を防止する方法であって、
地下構造物入口の床面に固定する床面固定エッジと、この床面固定エッジに対向する吊上エッジと、地下構造物の左右縦壁に固定する左右の縦壁固定エッジとを有する折り畳み可能なシート状浸水防止バッグを準備するステップ；
上記シート状浸水防止バッグの床面固定エッジと左右の縦壁固定エッジを、上記入口の床面と左右縦壁に固定し、残部を折り畳んで床面及び左右縦壁に沿わせて収納するステップ；及び
雨水浸入防止時に、上記シート状浸水防止バッグの吊上エッジを天井方向に吊り上げるステップ；
を有することを特徴とする雨水浸入防止方法。
【請求項７】
互いに平行をなす床面固定エッジ及び吊上エッジと、この床面固定エッジと吊上エッジに直交する左右エッジを有する展開状態で矩形の中央矩形シート材；及び
展開状態で縦壁固定エッジ、遊び辺及び一対の結合辺を有する四角形をなし、上記中央矩形シート材の左右に位置する左右シート材；
を有し、
上記中央矩形シート材の左右エッジと左右シート材の一対の結合辺とが接合されているシート状浸水防止バッグ。
【請求項８】
請求項７記載のシート状浸水防止バッグにおいて、上記左右シート材の縦壁固定エッジの長さを１としたとき、上記一対の結合辺の長さ及び中央矩形シート材の左右エッジの長さの１／２は０．５を超える長さであるシート状浸水防止バッグ。
【請求項９】
請求項７または８記載のシート状浸水防止バッグにおいて、上記左右シート材は、その一対の結合辺の長さが等長で、該一対の結合辺の一方の結合辺と縦壁固定エッジのなす角、及び他方の結合辺と上記遊び辺のなす角がそれぞれ９０゜をなしているシート状浸水防止バッグ。
【請求項１０】
請求項７ないし９のいずれか１項記載のシート状浸水防止バッグにおいて、上記中央矩形シート材と左右シート材はそれぞれゴム引布からなっているシート状浸水防止バッグ。
【発明の詳細な説明】
【技術分野】
【０００１】
本発明は、地下構造物への雨水浸入防止装置、防止方法及び同防止装置用浸入防止バッグに関する。
【背景技術】
【０００２】
最近頻発するようになったゲリラ豪雨による浸水被害が問題となっている。例えば地下鉄のような地下施設に浸水すると、物的損害だけでなく人命に拘わる被害が生じる可能性がある。
【先行技術文献】
【特許文献】
【０００３】
【特許文献１】特開２００６-２８３４５４号公報
【特許文献２】実用新案登録第３１４６０２２号公報
【発明の概要】
【発明が解決しようとする課題】
【０００４】
特許文献１は、地下構造物の入口に設置する止水装置を提案しているが、剛性構造物からなるもので、収納時のスペースの問題だけでなく止水能力にも問題がある。特許文献２は、水路を開閉する袋体による起伏ゲートを提案しているが、地下構造物の入口に適用することは難しい。
【０００５】
本発明は、以上の問題意識に基づき、シートを用いた雨水浸入防止装置であって、収納時のスペースが小さく、十分な止水能力を有する装置、及び同装置に用いるシート状浸水防止バッグを得ることを目的とする。
【課題を解決するための手段】
【０００６】
本発明は、地下構造物の入口に設置する雨水浸入防止装置において、地下構造物入口の床面に固定される床面固定エッジと、この床面固定エッジに対向する吊上エッジと、地下構造物の左右縦壁に固定される左右の縦壁固定エッジとを有する折り畳み可能なシート状浸水防止バッグ；上記シート状浸水防止バッグの床面固定エッジと左右の縦壁固定エッジを、上記入口の床面と左右縦壁に固定した状態で、残部を折り畳んで床面及び左右縦壁に沿わせて収納した状態とする収納手段；及び雨水浸入防止時に、上記シート状浸水防止バッグの吊上エッジを天井方向に吊り上げるための吊上手段；を有することに特徴を有する。
【０００７】
上記シート状浸水防止バッグは、上下に上記床面固定エッジ及び吊上エッジを有し、左右に左右エッジを有する展開状態で矩形の中央矩形シート材と、この中央矩形シート材の左右に位置する展開状態で四角形をなす左右シート材とからなり、この左右シート材の隣接する２辺が中央矩形シートの上記左右エッジに結合される結合辺であり、残りの２辺のうちの１辺が上記縦壁固定エッジを構成し、他の１辺が他の部材に結合されない遊び辺からなることが好ましい。
【０００８】
上記左右シート材の縦壁固定エッジの長さを１としたとき、上記一対の結合辺の長さ及び中央矩形シート材の左右エッジの長さの１／２は０．５を超える長さとするのが実際的である。
【０００９】
上記左右シート材は、その一対の結合辺の長さが等長で、該一対の結合辺の一方の結合辺と縦壁固定エッジのなす角、及び他方の結合辺と上記遊び辺のなす角がそれぞれ９０゜をなすのが好ましい。
【００１０】
上記中央矩形シート材と左右シート材からなるシート状浸水防止バッグは、上記収納状態において、上記床面固定エッジと吊上エッジ、一対の結合片どうし、及び縦壁固定エッジと遊び片をそれぞれ重ねた状態で折り畳まれるのが実際的である。
【００１１】
方法のカテゴリーからなる本発明は、地下構造物の入口への雨水の浸入を防止する方法であって、地下構造物入口の床面に固定する床面固定エッジと、この床面固定エッジに対向する吊上エッジと、地下構造物の左右縦壁に固定する左右の縦壁固定エッジとを有する折り畳み可能なシート状浸水防止バッグを準備するステップ；上記シート状浸水防止バッグの床面固定エッジと左右の縦壁固定エッジを、上記入口の床面と左右縦壁に固定し、残部を折り畳んで床面及び左右縦壁に沿わせて収納するステップ；及び雨水浸入防止時に、上記シート状浸水防止バッグの吊上エッジを天井方向に吊り上げるステップ；を有することに特徴を有する。
【００１２】
別の観点からなる本発明は、互いに平行をなす床面固定エッジ及び吊上エッジと、この床面固定エッジと吊上エッジに直交する左右エッジを有する展開状態で矩形の中央矩形シート材；及び展開状態で縦壁固定エッジ、遊び辺及び一対の結合辺を有する四角形をなし、上記中央矩形シート材の左右に位置する左右シート材；を有し、上記中央矩形シート材の左右エッジと左右シート材の一対の結合辺とが接合されていることに特徴を有する。
【００１３】
本発明のシート状浸水防止バッグにあっては、上記左右シート材の縦壁固定エッジの長さを１としたとき、上記一対の結合辺の長さ及び中央矩形シート材の左右エッジの長さの１／２は０．５を超える長さであることが実際的である。
【００１４】
上記左右シート材は、その一対の結合辺の長さが等長で、該一対の結合辺の一方の結合辺と縦壁固定エッジのなす角、及び他方の結合辺と上記遊び辺のなす角がそれぞれ９０゜をなしていることが好ましい。
【００１５】
上記中央矩形シート材と左右シート材はそれぞれゴム引布からなることが好ましい。
【発明の効果】
【００１６】
本発明によれば、シート状浸水防止バッグを用いて地下構造物入口への雨水の浸入を防止するので、様々な地下構造物入口の大きさ、形状に容易に対応させることが容易である。また、シート状浸水防止バッグを折り畳んで収納するため、収納に必要な地下構造物の左右縦壁、床面のスペースが小さくて済む。
【図面の簡単な説明】
【００１７】
【図１】本発明によるシート状浸水防止バッグの一実施形態の各構成部材を結合前の展開状態で示した平面図である。
【図２】同シート状浸水防止バッグの各構成部材を結合して折り畳んだ状態を示した平面図である。
【図３】同シート状浸水防止バッグの斜視図である。
【図４】地下構造物の入口に設置した同シート状浸水防止バッグの収納状態を示した斜視図である。
【図５】地下構造物の入口に設置した同シート状浸水防止バッグを収納状態から使用状態に移行する途中の状態を示した斜視図である。
【図６】地下構造物の入口に設置した同シート状浸水防止バッグの使用状態を示した斜視図である。
【図７】同シート状浸水防止バッグの接合部分の一例を示した断面図である。
【図８】（Ａ）、（Ｂ）、（Ｃ）は、同シート状浸水防止バッグを地下構造物の入口に設けた凹部に収納する工程の異なる段階を示した図である。
【発明を実施するための形態】
【００１８】
図１ないし図５は、本発明による地下構造物への雨水浸入防止装置に用いる雨水浸入防止バッグ１０の一実施形態を示している。この雨水浸入防止バッグ１０は、ともにゴム引布からなる中央矩形シート材２０と、左右シート材３０とからなるもので、展開状態で矩形の中央矩形シート材２０は、互いに平行をなす床面固定エッジ２１と、この床面固定エッジ２１と平行をなす吊上エッジ２２と、床面固定エッジ２１及び吊上エッジ２２に直交する左右エッジ２３とを有している。床面固定エッジ２１の内側には、地下構造物入口の床面への固定用孔列２１Ｆが形成されており、吊上エッジ２２の内側には、引上板２５を固定するための固定用孔列２２Ｆが形成されている。
【００１９】
左右シート材３０は、展開状態で、等長の縦壁固定エッジ３１と遊び辺３２、及び等長の結合辺３３を有する四角形（四辺を有する多角形）をなしている。縦壁固定エッジ３１と一方の結合辺３３、及び遊び辺３２と他方の結合辺３３はそれぞれ直交している。別言すると、左右シート材３０は、２つの直角三角形を長辺３４を共通にして展開した形状をしている。縦壁固定エッジ３１の内側には、地下構造物の縦壁への固定用孔列３１Ｆが形成されている。
【００２０】
各左右シート材３０の一対の結合辺３３は、中央矩形シート材２０を曲折（半折り）した状態で、該中央矩形シート材２０の左右の左右エッジ２３に接合されている。すなわち、一対の結合辺３３は特定の角度αをなしていて一直線上には位置していないため、中央矩形シート材２０を曲折した状態で接合している。この接合状態では、図２に示すように、中央矩形シート材２０と左右シート材３０（雨水浸入防止バッグ１０）を、中央矩形シート材２０の中心の折り畳み線２４及び左右シート材３０の長辺３４を中心に平面状に折り畳むことができる。折り畳み状態では、中央矩形シート材２０の床面固定エッジ２１と吊上エッジ２２、左右の左右シート材３０の縦壁固定エッジ３１と遊び片３２、及び結合辺３３どうしが互いに重なる。
【００２１】
中央矩形シート材２０と左右シート材３０はそれぞれ、周知のゴム引布から構成されている。ゴム引布は、一般的に基布にゴムを貼り合わせたシートで、基布とゴムの特性を併せ持った複合材料として知られている。基布材料、ゴム材料とも、各種が知られているが、本実施形態の雨水浸入防止バッグ１０は最高の強度が要求されるため、基布としては例えばナイロン基布、ゴム材料としては例えばクロロプレンゴムを用いることができる。勿論、本発明の雨水浸入防止バッグ１０は、以上の構成のゴム引布に限定されるものではない。また図では、中央矩形シート材２０と左右シート材３０を各１枚のシート状に描いているが、地下構造物の入口へ設置する大きさでは、中央矩形シート材２０と左右シート材３０はそれぞれ複数枚のゴム引布を接合して製造するのが実際的である。
【００２２】
シート状浸水防止バッグ１０は、上記左右シート材３０の縦壁固定エッジ３１の長さを「１」としたとき、上記一対の結合辺３３の長さ及び中央矩形シート材２０の左右エッジ２３の長さの１／２は「０．５」を超える長さであることが好ましい。一対の結合辺３３の長さ及び中央矩形シート材２０の左右エッジ２３の長さの１／２が「０．５」の場合、結合辺３３の長さ×２＝縦壁固定エッジ３１の長さとなり、左右シート材３０が正三角形となって、一対の結合辺３３が特定の角度αを持たず一直線となってしまうためである。縦壁固定エッジ３１と一方の結合辺３３とが接している頂点と遊び辺３２と他方の結合辺３３とが接している頂点とを結ぶ直線の長さは、縦壁固定エッジ３１の長さと等しくなるように設定することが好ましい。上記直線の方が短いと、シート状浸水防止バッグ１０の使用状態（地下構造物の入口を塞いだ状態）において、吊上エッジ２２の高さが縦壁固定エッジ３１の上端位置より低くなる。
【００２３】
上記左右シート材３０は、その一対の結合辺３３の長さが等長で、該一対の結合辺３３の一方の結合辺３３と縦壁固定エッジ３１のなす角、及び他方の結合辺３３と上記遊び辺３２のなす角がそれぞれ９０゜をなしていることが好ましい。上記各角が９０°をなしていないと、床面固定エッジ２１と縦壁固定エッジ３１が、図２の折り畳み状態で、一直線とならないため対応する地下構造物の左右縦壁の収納スペースが床面に対して垂直とならず、収納スペースの奥行き（人の通行方向のスペース）が大きくなってしまう。
【００２４】
中央矩形シート材２０の左右エッジ２３と左右シート材３０の結合辺３３との接合は、例えば次のように行う。
シート材から、中央矩形シート材２０及び左右シート材３０を裁断する。
中央矩形シート材２０の左右エッジ２３と左右シート材３０の結合辺３３とを図７に示すように重ね合わせて、接着剤６３で接着し、圧着硬化する。左右エッジ２３と結合辺３３の重ね合わせの幅は、十分な結合強度が得られるように定める。例えば３０mm程度とすることができる。
左右エッジ２３と結合辺３３の重ね合わせ接着部分を縫製糸６１により縫製し、針穴（縫製糸６１と針穴の隙間）を目止めし、さらにシールテープ６２を接着する。
【００２５】
図４ないし図６は、以上の雨水浸入防止バッグ１０を地下構造物の入口４０に設置した状態を示している。入口４０は、単純化して示すように、その開口に床面４１、左右縦壁４２及び天井４３を備えている。雨水浸入防止バッグ１０の中央矩形シート材２０の床面固定エッジ２１は、固定用孔列２１Ｆを利用して、床面４１に沿わせて固定板２８及びボルトにより固定され、左右シート材３０の縦壁固定エッジ３１は、固定用孔列３１Ｆを利用して、左右縦壁４２に沿わせて固定されている。そして収納状態では、中央矩形シート材２０の吊上エッジ２２が固定されている床面固定エッジ２１に重なり、左右シート材３０の遊び辺３２が縦壁固定エッジ３１と重なるようにして、床面４１と左右縦壁４２内に、雨水浸入防止バッグ１０（中央矩形シート材２０と左右シート材３０）が収納されている（図４）。
【００２６】
また、中央矩形シート材２０の吊上エッジ２２には、固定用孔列２２Ｆを利用して、引上板２５が固定されており、この引上板２５に複数の吊上ロープ２６の一端部がアイボルト２７を介して結合されている。吊上ロープ２６の他端部は、引上板２５上を這わせた後、左右縦壁４２に沿って天井４３に導かれ、天井４３（入口のフレーム）に設置した巻上機構４４に接続されている。実際の設置に当たっては、床面４１と左右縦壁４２に凹部４１Ｒと４２Ｒを形成し、この凹部４１Ｒと４２Ｒ内に、折り畳み状態の中央矩形シート材２０と左右シート材３０と吊上ロープ２６を収納し、収納後、該凹部４１Ｒと４２Ｒを蓋体５１と５２で塞ぐ。蓋体５１と５２は、例えば床面４１と左右縦壁４２にヒンジ結合し、または着脱可能とすることができる。
【００２７】
図８は、雨水浸入防止バッグ１０を床面４１と左右縦壁４２の凹部４１Ｒと４２Ｒに収納する工程を段階的に示している。折り畳み状態の中央矩形シート材２０と左右シート材３０は（図８（Ａ））、折り畳み線２４部分からエッジ２１、２２に向かって、第１の折り曲げ線７１で折り曲げ、さらに第２の折り曲げ線７２で折り曲げて２回折りする（図８（Ｂ））。
【００２８】
２回折りした中央矩形シート材２０と左右シート材３０をそれぞれ、中央矩形シート材２０と左右シート材３０の接合部（左右エッジ２３、結合辺３３）で略直角に折り曲げて、床面４１と左右縦壁４２に凹部４１Ｒと４２Ｒに収納する（図８（Ｃ））。床面固定エッジ２１と縦壁固定エッジ３１は、凹部４１Ｒと４２Ｒ内（底部）に固定されている。
【００２９】
折り畳み状態の中央矩形シート材２０と左右シート材３０を折り曲げる回数は図示実施例に限定されない。また、折り曲げずに、折り畳み線２４部分からエッジ２１、２２に向かって筒状に巻いていき、筒状に巻いた中央矩形シート材２０と左右シート材３０をそれぞれ、凹部４１Ｒと４２Ｒ内に収納することも可能である。
【００３０】
巻上機構４４は、巻上モータ４５、減速機構４６、複数の巻上ドラム４７を備えている。引上板２５にはアイボルト２７を介して複数の吊上ロープ２６が結合されており、この吊上ロープ２６は、吊上エッジ２２の内側上を這わせ、床面４１と左右縦壁４２の凹部４１Ｒと４２Ｒ内に沿って収納され、さらに天井４３に沿って這わされて対応する各巻上ドラム４７に結合されており、これらの複数の巻上ドラム４７は減速機構４６を介して巻上モータ４５によって巻上駆動される。巻上ドラム４７は、凹部４１Ｒの直上に凹部４１Ｒと平行に直列に配置されており、吊上ロープ２６をそれぞれ、天井４３に形成された穴（図示せず）から出し入れする。
【００３１】
上記構成の本装置は、床面４１と左右縦壁４２に形成した凹部４１Ｒと４２Ｒ内に、折り畳み状態の中央矩形シート材２０と左右シート材３０と吊上ロープ２６を収納し、蓋体５１、５２で塞いだ収納状態では、入口４０の人の通行を妨げることがない。一方、ゲリラ豪雨等が発生し、入口４０からの雨水の浸入を防止する際には、先ず蓋体５１、５２を取り外し（開き）、次に、巻上モータ４５を巻上げ駆動させる。すると、吊上ロープ２６が各巻上ドラム４７に巻上げられて、引上板２５が凹部４１Ｒから引き上げられる。引上板２５が引き上げられるのに従って中央矩形シート材２０と左右シート材３０は、折り曲げ状態あるいは巻き取り状態を解かれながら、凹部４１Ｒと４２Ｒから引き出され、上方に展開していく。引上板２５（吊上エッジ２２）は、縦壁固定エッジ３１の長さ分引上げられ、このとき遊び辺３２には遊び（しわ）ができる（図６）。引上板２５（吊上エッジ２２）は、天井４３（フレーム）に当接可能な位置まで引上げられて、引上板２５と天井４３とで吊上エッジ２２を挟み込む構成とすることが好ましい。吊上エッジ２２を引上板２５と天井４３とで挟み込むことで、水密を確保できる。吊上ロープ２６を収納状態から使用状態まで巻き上げる量は引上板２５の中央寄りに結合された吊上ロープ２６程長いので、例えば、各巻上ドラム４７の巻上げ開始タイミングを調整することにより、引上板２５（吊上エッジ２２）を同時に引き揚げるように制御する。
【００３２】
この遊び辺３２の遊び（しわ）部分から、若干の雨水が地下構造物内に流入するが、浸水した雨水はポンプで排出される。すなわち、本装置は、雨水の完全な浸入防止を図るものではなく、ポンプで排水可能な程度に浸水を抑えるものである。
【符号の説明】
【００３３】
１０  雨水浸入防止バッグ
２０  中央矩形シート材
２１  床面固定エッジ
２２  吊上エッジ
２３  左右エッジ
２４  折り畳み線
２５  引上板
２６  吊上ロープ
３０  左右シート材
３１  縦壁固定エッジ
３２  遊び辺
３３  結合辺
３４  長辺
４０  入口
４１  床面
４１Ｒ  凹部（収納手段）
４２  左右縦壁
４２Ｒ  凹部（収納手段）
４３  天井
４４  巻上機構（吊上手段）
４５  巻上モータ
４６  減速機構
４７  巻上ドラム
５１  ５２  蓋体
【図１】
0005908710.tif 000002
【図２】
0005908710.tif 000003
【図３】
0005908710.tif 000004
【図４】
0005908710.tif 000005
【図５】
0005908710.tif 000006
【図６】
0005908710.tif 000007
【図７】
0005908710.tif 000008
【図８】
0005908710.tif 000009